【事件の表示】
　特願２０１２−２２４０９４「帽子」拒絶査定不服審判事件〔平成２５年　１月１０日出願公開、特開２０１３−　　７１５２、請求項の数（１）〕について、次のとおり審決する。
【結　論】
　原査定を取り消す。
　本願の発明は、特許すべきものとする。
【理　由】
第１　手続の経緯　
　本願は、平成１８年４月４日の出願である特願２００６−１０３５２８の一部を、平成２４年１０月９日に新たな出願としたものであって、平成２５年１０月１０日付けで拒絶理由が通知され、平成２５年１０月２１日に手続補正がされ、平成２６年４月２３日付けで拒絶査定がされ、これに対し、平成２６年７月２５日に拒絶査定不服審判が請求されたものである。
第２　本願発明
　本願の請求項１に係る発明は、平成２５年１０月２１日の手続補正で補正された特許請求の範囲の請求項１に記載された事項により特定されるものと認められるところ、本願の請求項１に係る発明（以下、「本願発明」という。）は以下のとおりである。
「【請求項１】　
　半球状に形成された帽体と、
　庇芯地と、庇芯地の上面を覆う庇表地と、庇芯地の下面を覆う庇裏地とで構成され、帽体の前周部の下縁から前方に突出して設けられた三日月形状の庇と、
　帽体の内部下縁に沿って取り付けられたびん皮と、
を備え、庇の基端縁がびん皮によって覆われた帽子であって、
　庇表地と庇裏地の先端縁を互いに縫着して袋状に形成した後裏返し、庇表地及び庇裏地の先端縁における裁ち目が外部に露出しないようにすることにより、庇表地及び庇裏地の先端縁にほつれ防止処理を施すとともに、
　庇表地及び庇裏地の基端縁における裁ち目に沿って補強テープＴ１を配し、補強テープＴ１を長手方向に沿って二つ折りにして庇表地及び庇裏地の基端縁における裁ち目を補強テープＴ１で包み込み、補強テープＴ１の長手方向に沿った両側の縁を補強テープＴ１の内側にさらに折り返し、その折り返された部分で補強テープＴ１を庇表地及び庇裏地に対して縫着することにより、庇の基端縁における裁ち目に沿ってほつれ防止処理を施すことにより、
　洗濯機で丸洗いしても庇の基端縁における裁ち目がほつれないようにしたことを特徴とする帽子。」
第３　原査定の理由の概要
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　記
１．登録実用新案第３０８１１７８号公報
２．米国特許第５８９３１７０号明細書
３．特開平７−２６５５７０号公報
４．特開平６−３０４３６４号公報
　刊行物１には、半球状に形成された帽体と、庇芯地と、庇芯地の上面を覆う庇表地と、庇芯地の下面を覆う庇裏地とで構成され、帽体の前周部の下縁から前方に突出して設けられた三日月形状の庇と、帽体の内部下縁に沿って取り付けられたびん皮と、を備えた帽子であって、庇の基端縁が、びん皮によって覆われた帽子が開示されている。
　刊行物２には、庇表地と庇裏地の先端縁を互いに縫着して袋状に形成した後裏返し、庇表地及び庇裏地の先端縁における裁ち目が外部に露出しないようにすることが開示されている（特に、第３欄第３段落、図２〜４参照）。庇表地及び庇裏地の先端縁における裁ち目が外部に露出しないため、ほつれが防止されると認められる。
　一般に、補強テープを長手方向に沿って二つ折りにして端縁を補強テープで包み込み、補強テープの長手方向に沿った両側の縁を補強テープの内側にさらに折り返し、その折り返された部分で補強テープを縫着することによりほつれ防止処理を行うことは、周知の技術である（例えば、刊行物３の図１の構成、刊行物４の図６（ｃ）の構成参照）。
　かかる周知の技術により、庇表地及び庇裏地の基端縁のほつれ防止処理を行うことは、当業者であれば容易になし得たことである。
第４　当審の判断
１．刊行物の記載事項
　刊行物１には、段落０００９、図３等の記載からみて、以下の発明（以下、「引用発明」という。）が記載されている。
「半球状に形成された帽体２ａと、
　鍔部２ｂ芯地と、鍔部２ｂ芯地の上面を覆う鍔部２ｂ表地と、鍔部２ｂ芯地の下面を覆う鍔部２ｂ裏地とで構成され、帽体２ａの前周部の下縁から前方に突出して設けられた三日月形状の鍔部２ｂと、
　帽体２ａの内部下縁に沿って取り付けられたスベリ３と、
を備え、鍔部２ｂの基端縁がスベリ３によって覆われた帽子２。」
２．対比
　本願発明と引用発明とを対比する
　引用発明の「鍔部２ｂ」は本願発明の「庇」に相当し、同様に「スベリ３」は「びん皮」に相当する。
　そうすると、本願発明と引用発明とは、以下の点で一致している。
「半球状に形成された帽体と、
　庇芯地と、庇芯地の上面を覆う庇表地と、庇芯地の下面を覆う庇裏地とで構成され、帽体の前周部の下縁から前方に突出して設けられた三日月形状の庇と、
　帽体の内部下縁に沿って取り付けられたびん皮と、
を備え、庇の基端縁がびん皮によって覆われた帽子。」
　他方、本願発明と引用発明は、以下の点で相違する。
　相違点１：本願発明では「庇表地と庇裏地の先端縁を互いに縫着して袋状に形成した後裏返し、庇表地及び庇裏地の先端縁における裁ち目が外部に露出しないようにすることにより、庇表地及び庇裏地の先端縁にほつれ防止処理を施す」が、引用発明では明らかでない点。
  相違点２：本願発明では「庇表地及び庇裏地の基端縁における裁ち目に沿って補強テープＴ１を配し、補強テープＴ１を長手方向に沿って二つ折りにして庇表地及び庇裏地の基端縁における裁ち目を補強テープＴ１で包み込み、補強テープＴ１の長手方向に沿った両側の縁を補強テープＴ１の内側にさらに折り返し、その折り返された部分で補強テープＴ１を庇表地及び庇裏地に対して縫着することにより、庇の基端縁における裁ち目に沿ってほつれ防止処理を施すことにより、洗濯機で丸洗いしても庇の基端縁における裁ち目がほつれないようにした」が、引用発明では明らかでない点。
３．判断
　相違点１について検討する。
　原査定の理由で引用した刊行物２には、３欄２９〜４１行、Ｆｉｇ３、４、１２等の記載からみて、庇表地１３と庇裏地１４の先端縁を互いに縫着２４して袋状に形成した後裏返し、庇表地及び庇裏地の先端縁における裁ち目が外部に露出しないようにすることにより、庇表地及び庇裏地の先端縁にほつれ防止処理を施」した帽子が記載されている。
　引用発明においても、庇先端縁のほつれは、外観上好ましくないことから、刊行物２記載事項を引用発明に適用し、相違点１に係るものとすることは、必要に応じてなしうる設計的事項にすぎない。
　相違点２について検討する。
　生地端縁における裁ち目に沿って補強テープを配し、補強テープを長手方向に沿って二つ折りにして端縁における裁ち目を補強テープで包み込み、補強テープの長手方向に沿った両側の縁を補強テープの内側にさらに折り返し、その折り返された部分で補強テープを生地に対して縫着することにより、生地端縁における裁ち目に沿ってほつれ防止処理を施す」技術それ自体は、原査定の理由で引用した刊行物３の図１、同刊行物４の図６（ｃ）にみられるごとく周知である。
　他方、ほつれ防止処理のためには、そのための工程が必要であり、製造費用の上昇につながることは明らかである。
　本願発明が、ほつれ防止処理を施す「庇表地及び庇裏地の基端縁」は、「びん皮によって覆われ」ており、着用者に見えない部位である。そのため、多少のほつれが生じたとしても、特段の支障はない。
　特段の支障のない部位に、製造費用をかけてまで、ほつれ防止処理を行うことは必要性がないから、ほつれ防止処理技術それ自体が周知であったとしても、引用発明に、かかる周知技術を適用する動機を見いだすことはできない。
　したがって、相違点２を容易想到とすることはできない。
　本願発明は、当業者が引用発明に基いて容易に発明をすることができたとはいえない。
第５　むすび
　以上のとおり、本願発明は、当業者が引用発明に基づいて容易に発明をすることができたものではないから、原査定の理由によっては、本願を拒絶することはできない。
　また、他に本願を拒絶すべき理由を発見しない。
　よって、結論のとおり審決する。